(57)【要約】【課題】  順序付け順次復号方式による空間フィルタリングを用いて最尤検出方式における送信信号ベクトルの候補を削減することにより、演算量の削減及び受信特性の向上を図る。【解決手段】  送信信号の候補信号の中から全て或いは複数を選択する複数候補信号選択部１＿２３と、空間フィルタリングによる再生信号に基づいて送信信号の候補信号の中から候補信号を限定する候補信号選択手段２３と、送信信号の候補信号の受信信号レプリカを作成するレプリカ生成部２４と、受信信号レプリカを受信信号ベクトルｙ或いは前段からの受信残差信号ベクトルから除去し、次段への受信残差信号ベクトルを求める候補毎干渉除去部２５と、各候補信号選択部２３により選択された候補信号からなる送信信号ベクトルの候補を使用して再生送信信号ベクトルを検出する最尤検出部２７とを備える。【選択図】    図２
2005269383.tif 000002
【特許請求の範囲】
【請求項１】
複数の送信アンテナから空間分割多重により無線送信された前記送信アンテナ数分の送信信号を、複数の受信アンテナで受信する無線受信手段と、
前記送信信号の候補信号の受信信号レプリカを作成するレプリカ生成手段と、
前記送信信号の候補信号の中から全て或いは複数を選択する第１の候補信号選択手段と、
前記第１の候補信号選択手段により選択された候補信号の受信信号レプリカを前記複数の受信アンテナの受信信号からなる受信信号ベクトルから除去し、次段への受信残差信号ベクトルを求める第１の干渉除去手段と、
前段からの受信残差信号ベクトルから、空間フィルタリングにより特定の前記送信信号を再生する空間フィルタと、
前記空間フィルタによる再生信号に基づいて前記送信信号の候補信号の中から候補信号を限定する第２の候補信号選択手段と、
前記第２の候補信号選択手段により限定された候補信号の受信信号レプリカを前段からの受信残差信号ベクトルから除去し、次段への受信残差信号ベクトルを求める第２の干渉除去手段と、
前記第１及び第２の候補信号選択手段により選択された候補信号からなる送信信号ベクトルの候補を使用して、再生送信信号ベクトルを検出する最尤検出手段と、
を備えたことを特徴とする受信機。
【請求項２】
前記第２の候補信号選択手段は、候補選択数を段階的に減らすことを特徴とする請求項１に記載の受信機。
【発明の詳細な説明】
【技術分野】
【０００１】
本発明は、空間分割多重（SDM；Spatial Division Multiplexing）方式における受信機に関する。
【背景技術】
【０００２】
従来、送信側で複数のアンテナを用いて異なる情報を同一周波数で同時に送信する空間分割多重技術が、移動通信システム等における周波数利用効率の向上や、伝送速度の向上を図るものとして知られている。この空間分割多重技術はＭＩＭＯ（Multiple-input and multiple output）とも呼ばれる。図５は、従来の空間分割多重伝送システム（ＭＩＭＯシステム）の構成を示すブロック図である。図５において、送信機１００は、直並列変換部１０１により送信信号を直並列変換して送信アンテナ数ＮＴ分に分割し、これら分割信号を各信号マッピング部１０２により複素平面上の変調信号点にマッピングした送信信号ｓ１，ｓ２，ｓ３，・・・，ｓＮＴを各送信アンテナ１０３から同時に無線送信する。各送信アンテナ１０３からの無線信号は受信機２００の各受信アンテナ２０１で受信される。受信機２００は、受信アンテナ数ＮＲ分の受信信号ｙ１，ｙ２，ｙ３，・・・，ｙＮＲから信号分離部２０２により再生送信信号ｓ１'，ｓ２'，ｓ３'，・・・，ｓＮＴ'を求めて並直列変換部２０３により並直列変換し、再生信号を出力する。
【０００３】
上記各送信アンテナ１０３からの送信信号を要素とする同一時刻における送信信号ベクトルｓは、（１）式で表される。
【０００４】
【数１】
2005269383.tif 000003
【０００５】
但し、Ｔの表記は転置を表す。
以下の説明においては、各送信アンテナ１０３からの各々の送信信号をサブストリームと称する。
【０００６】
ここで、ＮＲ行ＮＴ列のチャネル行列Ｈは、（２）式で表される。
【０００７】
【数２】
2005269383.tif 000004
【０００８】
但し、ｈｊｉはｉ番目の送信アンテナからｊ番目の受信アンテナへのチャネル応答である。
このチャネル行列Ｈを用いると、受信信号ベクトルｙは、（３）式で表される。
【０００９】
【数３】
2005269383.tif 000005
【００１０】
ここで、受信信号ベクトルｙは（４）式で表され、雑音ベクトルｎは（５）式で表される。
【００１１】
【数４】
2005269383.tif 000006
【００１２】
【数５】
2005269383.tif 000007
【００１３】
上記した空間分割多重方式における受信機２００の信号分離方法として、（１）空間フィルタリングを用いる方法と、（２）最尤検出を用いる方法とが知られている。
【００１４】
（１）空間フィルタリングを用いる方法
図６は、空間フィルタリングを用いた従来の信号分離部２０２ａの構成を示すブロック図である。図６において、空間フィルタ２１１は、重み係数行列を用いて、受信信号ベクトルｙから１つの送信アンテナから送信されたサブストリームを取り出し、他の送信アンテナから送信されたサブストリームを抑圧する。図６の例では送信アンテナ数ＮＴが４である。そして、空間フィルタ２１１は４つの送信アンテナの各サブストリームを取り出した各出力信号を各信号判定部２１２へ出力する。信号判定部２１２は空間フィルタ２１１の出力信号から有効な信号を判定して再生送信信号を出力する。これにより、４つの送信アンテナの各再生送信信号ｓ１'，ｓ２'，ｓ３'，ｓ４'が得られる。空間フィルタ２１１の重み係数行列Ｗは、例えばZero-forcingと呼ばれる方法では（６）式により計算する。
【００１５】
【数６】
2005269383.tif 000008
【００１６】
但し、Ｈの表記は複素共役転置を表す。
そして、再生送信信号ベクトルｓ'は（７）式により求められる。
【００１７】
【数７】
2005269383.tif 000009
【００１８】
ここで、再生送信信号ベクトルｓ'は（８）式で表される。
【００１９】
【数８】
2005269383.tif 000010
【００２０】
この空間フィルタリングを用いる方法では、所望のサブストリーム以外の他のサブストリームを抑圧するために、複数の受信アンテナによって得られる受信ダイバーシチ利得が消費される。これにより、実際に得られるダイバーシチ利得の次数は、“ＮＲ−ＮＴ＋１”となる。従って、送信アンテナ数ＮＴと受信アンテナ数ＮＲが等しい場合には十分な受信特性を得ることができない。
【００２１】
この問題に対処するための改善策として、順序付け順次復号方式が知られている（例えば、非特許文献１参照）。図７は、順序付け順次復号方式による従来の信号分離部２０２ｂの構成を示すブロック図である。順序付け順次復号方式は、信頼度の高い順にサプストリームを検出し、その検出したサプストリームの受信信号レプリカを受信信号から差し引くことにより干渉成分を除去して、他のサプストリームを検出する際のダイバーシチ利得を高くしていくものである。この方式では、サブストリーム検出後の信号電力対雑音電力比が最大となる送信サプストリームを最初に検出する。このサプストリーム検出では、重み係数行列の行ベクトルの大きさが最小となる行ベクトルに対応するサプストリームを検出する。
【００２２】
図７において、先ず、１段目（空間フィルタ１＿２１１及び信号判定部１＿２１２）において、ｙ１＝ｙ、Ｗ１＝Ｗ、とする。ここでは、検出すべきサプストリームは、重みベクトルの大きさが最小となるサプストリームとし、（９）式により求められる。
【００２３】
【数９】
2005269383.tif 000011
【００２４】
但し、［Ｗ１］ｊはＷ１のｊ番目の行ベクトルを示す。
空間フィルタ部１＿２１１において、ｋ１番目の行ベクトルを受信信号ベクトルｙ１に重み付け加算すると、（１０）式となる。
【００２５】
【数１０】
2005269383.tif 000012
【００２６】
但し、［Ｗ１］ｋ1はＷ１のｋ１番目の行ベクトルを示す。
次いで、信号判定部１＿２１２において、再生された信号ｚ１を判定して、再生送信信号ｓｋ1'を得る。
次いで、レプリカ生成部１＿２２１において、判定された信号とチャネルベクトルを用いてその信号の受信信号レプリカを生成し、干渉除去部１＿２２２において、受信信号ベクトルｙ１から該レプリカを差し引いて干渉を除去し、（１１）式により２段目（空間フィルタ２＿２１１及び信号判定部２＿２１２）用の受信残差信号を生成する。この受信残差信号ベクトルｙ２は（１１）式で表される。
【００２７】
【数１１】
2005269383.tif 000013
【００２８】
但し、（Ｈ１）ｋ1はＨ１のｋ１番目の列ベクトルを示す。
受信残差信号ベクトルｙ２には、ｋ１番目のサブストリームは存在しないので、ヂャネル行列Ｈ１からｋ１番目の列ベクトルを削除して、ＮＲ行（ＮＴ−１）列のチャネル行列Ｈ２に更新する。このチャネル行列Ｈ２は（１２）式で表される。
【００２９】
【数１２】
2005269383.tif 000014
【００３０】
このチャネル行列Ｈ２から上記（６）式により空間フィルタ２＿２１１の重み係数行列Ｗ２を算出する。そして、上記１段目と同様の計算を行って再生送信信号ｓｋ２'を得る。この手順を繰り返して全てのアンテナから送信された信号を検出する。なお、最終段では空間合成部２２３において空間ダイバーシチによる合成後の信号から信号判定を行う。
【００３１】
（２）最尤検出を用いる方法
図８は、最尤検出を用いた従来の受信機２００ａの構成を示すブロック図である。最尤検出による方法は、図８に示されるように、送信信号ベクトルの候補とチャネル応答とから各受信アンテナで受信される受信信号のレプリカを生成し、実際の受信信号とレプリカとの２乗誤差が最小となる送信信号ベクトルの候補を再生送信信号ベクトルとして求めるものである（例えば、非特許文献２参照）。
ここで、候補信号ベクトルｓａを（１３）式で表す。
【００３２】
【数１３】
2005269383.tif 000015
【００３３】
すると、受信信号ベクトルのレプリカｒは、レプリカ生成部２３３において、（１４）式により算出される。
【００３４】
【数１４】
2005269383.tif 000016
【００３５】
次いで、減算器２３１においてレプリカｒと受信信号ベクトルとを比較し、この結果の二乗値を二乗算出器２３５により計算し、この結果を総和器２３６により総和する。次いで、最小値検出部２３７において、レプリカｒと受信信号ベクトルとの２乗誤差が最小となる再生送信信号ベクトルｓ'を探索する。
【００３６】
【数１５】
2005269383.tif 000017
【００３７】
この（１５）式により最も確からしい再生送信信号ベクトルｓ'が（１６）式として検出される。
【００３８】
【数１６】
2005269383.tif 000018
【００３９】
なお、変調多値数をＭとすると、候補信号ベクトルの数はＭＮTとなる。
【非特許文献１】G.J.Foschini，“Layered space-time architecture for wireless communication in a fading environment when using multiple antennas”，Bell Laboratories Technical Journal，vol.1，no.2，Autumn,1996，pp.41-59.
【非特許文献２】A.van Zelst，R.van Nee，and G.A.Awater，“Space division multiplexing (SDM) for OFDM systems”，VTC'OO-Spring，Tokyo，pp.1070-1074，May 2000.
【発明の開示】
【発明が解決しようとする課題】
【００４０】
しかし、上述した従来の技術では、以下に示す問題がある。
順序付け順次復号方式による空間フィルタリングを用いた場合、初段の空間フィルタによる信号検出特性は、ダイバーシチ利得が小さいために、後段の空間フィルタによる信号検出特性に比べて劣化し、この初段での劣化量が全体の受信特性において支配的となる。また、前段において判定誤りが生じると、後段での干渉信号除去を正しく行うことができなくなるため、後段の信号判定に誤りをもたらし、受信特性が劣化する。
【００４１】
また、最尤検出方式を用いた場合、送信信号ベクトルの候補からレプリカ信号を生成する際の演算量が非常に多くなる。例えば、送信アンテナ数が４、変調方式が１６ＱＡＭの場合には、送信信号ベクトルの候補数は、１６４＝６５５３６となり、この数の候補からレプリカ信号を生成するための演算量は膨大なものとなり、実時間処理上問題となるとともに消費電力の増大を招くこととなる。
【００４２】
本発明は、このような事情を考慮してなされたもので、その目的は、順序付け順次復号方式による空間フィルタリングを用いて最尤検出方式における送信信号ベクトルの候補を削減することにより、演算量の削減及び受信特性の向上を図ることができる受信機を提供することにある。
【課題を解決するための手段】
【００４３】
上記の課題を解決するために、本発明に係る受信機は、複数の送信アンテナから空間分割多重により無線送信された前記送信アンテナ数分の送信信号を、複数の受信アンテナで受信する無線受信手段と、前記送信信号の候補信号の受信信号レプリカを作成するレプリカ生成手段と、前記送信信号の候補信号の中から全て或いは複数を選択する第１の候補信号選択手段と、前記第１の候補信号選択手段により選択された候補信号の受信信号レプリカを前記複数の受信アンテナの受信信号からなる受信信号ベクトルから除去し、次段への受信残差信号ベクトルを求める第１の干渉除去手段と、前段からの受信残差信号ベクトルから、空間フィルタリングにより特定の前記送信信号を再生する空間フィルタと、前記空間フィルタによる再生信号に基づいて前記送信信号の候補信号の中から候補信号を限定する第２の候補信号選択手段と、前記第２の候補信号選択手段により限定された候補信号の受信信号レプリカを前段からの受信残差信号ベクトルから除去し、次段への受信残差信号ベクトルを求める第２の干渉除去手段と、前記第１及び第２の候補信号選択手段により選択された候補信号からなる送信信号ベクトルの候補を使用して、再生送信信号ベクトルを検出する最尤検出手段とを備えたことを特徴としている。
【００４４】
本発明に係る受信機においては、前記第２の候補信号選択手段は、候補選択数を段階的に減らすことを特徴とする。
【発明の効果】
【００４５】
本発明によれば、順序付け順次復号方式による空間フィルタリングを用いて最尤検出方式における送信信号ベクトルの候補を削減することができる。これにより、演算量の削減が可能となる。また、初段の候補選択数を候補の全て或いは複数とすることにより、後段の処理の精度が劣化することを防止することができる。これにより、受信特性が向上する。
【発明を実施するための最良の形態】
【００４６】
以下、図面を参照し、本発明の一実施形態について説明する。
図１は、本発明の一実施形態に係る受信機１を備えた空間分割多重伝送システム（ＭＩＭＯシステム）の構成を示すブロック図である。この図１において、上記図５の従来のシステムの各部に対応する部分には同一の符号を付け、その説明を省略する。
【００４７】
図１の受信機１においては、上記図５の従来の受信機２００とは信号分離部２０が異なっている。本実施形態に係る受信機１は、送信機１００のＮＴ本の各送信アンテナ１０３から送信された無線信号を各受信アンテナ２０１で受信する。そして、受信機１は、受信アンテナ数ＮＲ分の受信信号ｙ１，ｙ２，ｙ３，・・・，ｙＮＲから信号分離部２０により再生送信信号ｓ１'，ｓ２'，ｓ３'，・・・，ｓＮＴ'を求めて並直列変換部２０３により並直列変換し、再生信号を出力する。
【００４８】
図２は、上記図１に示す信号分離部２０の構成を示すブロック図である。
本実施形態に係る信号分離部２０では、順序付け順次復号方式による空間フィルタリングを用いて最尤検出方式における送信信号ベクトルの候補を適切に削減する。
【００４９】
図２において、信号分離部２０には、上記（４）式の受信信号ベクトルｙが入力される。オーダリング部２１は、受信信号ベクトルｙに基づいてオーダリングを行い、検出すべきサブストリームの順序を決定する。この順序情報は各部へ入力される。
先ず、初段（１段目）の空間フィルタ１＿２２は、重み係数行列を用いて、受信信号ベクトルｙから、順序情報における最初に検出すべきサブストリームを取り出し、他の送信アンテナから送信されたサブストリームを抑圧する。
【００５０】
次いで、複数候補信号選択部１＿２３は、空間フィルタ１＿２２の出力信号の中から複数の候補信号を選択する。この理由は、初段の空間フィルタ１＿２２による信号検出特性はダイバーシチ利得が小さいために信頼度が低いので、この段階では候補信号を一つに絞ることを避け、後段の処理の精度を高めるためである。
【００５１】
例えば、図３に示されるように、空間フィルタ１＿２２による再生信号点を含む候補信号範囲内の複数の候補信号を選択する。図３の例は、１６ＱＡＭにより変調されている場合であり、１６個の候補信号の中から４個の候補信号が選択されている。このように、本実施形態では空間フィルタ１＿２２による再生信号点に基づいた信号判定により候補信号を１つに絞ることを行わず、複数の候補信号を保持したまま後段の処理を行う。なお、初段の複数候補信号選択部１＿２３においては、候補信号を絞らずに、全ての候補信号を選択してもよい。上記候補信号の選択数は、各複数候補信号選択部２３毎に予め設定されている。
【００５２】
次いで、レプリカ生成部１＿２４は、その選択された複数の候補信号から、チャネル推定値を用いて各候補信号のサブストリームの受信信号レプリカを生成する。このレプリカは、複数候補信号選択部１＿２３で選択された複数の候補信号分の個数だけ生成される。
次いで、候補毎干渉除去部１＿２５は、受信信号ベクトルｙから一つのレプリカを除去して受信残差信号ベクトルを求める。候補毎干渉除去部１＿２５は、候補信号（すなわちレプリカ）の各々に対応して設けられている。これにより、初段（１段目）で選択された候補信号数分の受信残差信号ベクトルが得られる。
【００５３】
次いで、一つの候補毎干渉除去部１＿２５からの出力信号（受信残差信号ベクトル）を入力として、一つの空間フィルタ２＿２２が次段（２段目）の空間フィルタリングを行う。空間フィルタ２＿２２は、候補毎干渉除去部１＿２５の各々に対応して設けられている。
次いで、一つの空間フィルタ２＿２２の出力信号から、一つの複数候補信号選択部２＿２３が候補信号を絞り込むように複数の候補信号を選択する。複数候補信号選択部２＿２３は空間フィルタ２＿２２の各々に対応して設けられている。
次いで、一つのレプリカ生成部２＿２４は、一つの複数候補信号選択部２＿２３によって選択された複数の候補信号から、各候補信号のサプストリームの受信信号レプリカを生成する。このレプリカは、複数候補信号選択部２＿２３で選択された複数の候補信号分の個数だけ生成される。また、レプリカ生成部２＿２４は、複数候補信号選択部２＿２３の各々に対応して設けられている。したがって、２段目で生成されるレプリカの個数は、「１段目で選択された候補信号の数」×「２段目で選択された候補信号の数」となる。
【００５４】
以降、同様にして上記した過程を繰り返し、順次、候補信号を絞り込んでいく。そして、最終段（ＮＴ段目）では、一つの空間合成部２６が一つの複数候補信号選択部ＮＴ−１＿２３の出力信号（受信残差信号ベクトル）を空間ダイバーシチにより合成する。次いで、この合成後の信号から、一つの複数候補信号選択部ＮＴ＿２３が候補信号を一つ或いは複数に絞り込む。一つのレプリカ生成部ＮＴ＿２４は、一つの複数候補信号選択部ＮＴ＿２３により選択された候補信号から受信信号レプリカを生成する。
【００５５】
上記した本実施形態に係る順序付け順次復号方式による空間フィルタリングにより、送信信号ベクトルの候補が限定される。
【００５６】
次いで、最尤検出部２７には、上記各複数候補信号選択部２３により選択された候補信号と、各レプリカ生成部２４により生成された受信信号レプリカとが入力される。そして、最尤検出部２７は、入力された候補信号のみからなる限定された送信信号ベクトルの候補と、入力された受信信号レプリカとを使用して、上記（１５）式と同様の演算式により再生送信信号ベクトルｓ'を検出する。
【００５７】
図４は、本実施形態に係る送信信号ベクトルの候補の限定方法を説明するための図である。この図４の例は、送信アンテナ数が４、変調方式が１６ＱＡＭの場合である。図４では、空間フィルタによる再生信号を×印で示している。また、選択した候補信号を●印で示し、選択されない候補信号を○印で示している。
【００５８】
図４（ａ）は、初段（１段目）の候補信号の選択方法を示している。この図４（ａ）の例では、初段の空間フィルタの出力信号の信頼度が低いことから、サブストリーム＃１に対する候補信号の選択を、全ての信号点としている。すなわち、初段では再生信号Ｐ１に基づいた候補信号の絞込みを行わない。従って、このサブストリーム＃１に対する判定誤りは生じない。これにより、初段（１段目）により選択された候補信号の個数は１６個となる。なお、候補信号数をコンスタレーション信号点数と等しく設定する場合には空間フィルタは不要である。
【００５９】
次いで、図４（ｂ）は、２段目の候補信号の選択方法を示している。この図４（ｂ）の例では、再生信号Ｐ２に基づいた候補信号の絞込みを行い、前段（１段目）の選択結果である１６個の候補信号の中から、４個の候補信号を選択している。この２段目においては、サプストリーム＃１が除去されているので、２段目の空間フィルタの出力信号の信頼度は１段目よりも向上している。これにより、２段目の選択数は、１段目よりも減らすことができる。
【００６０】
次いで、図４（ｃ）は、３段目の候補信号の選択方法を示している。この図４（ｃ）の例では、再生信号Ｐ３に基づいた候補信号の絞込みを行い、前段（２段目）の選択結果である４個の候補信号の中から、２個の候補信号を選択している。この３段目においては、サプストリーム＃１及び＃２が除去されているので、３段目の空間フィルタの出力信号の信頼度は２段目よりも向上している。これにより、３段目の選択数は、２段目よりも減らすことができる。
【００６１】
次いで、図４（ｄ）は、最終段（４段目）の候補信号の選択方法を示している。この図４（ｄ）の例では、再生信号Ｐ４に基づいた候補信号の絞込みを行い、前段（３段目）の選択結果である２個の候補信号の中から、１個の候補信号を選択している。この４段目においては、サプストリーム＃１及び＃２及び＃３が除去されているので、４段目の空間フィルタの出力信号の信頼度は３段目よりも向上している。これにより、４段目の選択数は、３段目よりも減らすことができる。
【００６２】
この最終段までの候補選択の結果、図４の例では、送信信号ベクトルの候補数は、１６×４×２×１＝１２８となる。これは、従来の最尤検出方法における送信信号ベクトルの候補数「６５５３６」に比して十分に少ない。これにより、演算量を格段に削減することができる。また、本実施形態によれば、順序付け順次復号方式による空間フィルタリングにおいて、初段の候補選択数を候補の全て或いは複数とすることにより、後段の処理の精度が劣化することを防止することができる。これにより、受信特性が向上する。さらに、各段の候補選択数を段階的に減らすことにより、当該段の精度による悪影響が後段に及ぶことを防止することができ、より良好な受信特性を得ることができる。
【００６３】
なお、上記図２に示す信号分離部２０は、専用のハードウェアにより実現されるものであってもよく、また、この信号分離部２０はメモリおよびＤＳＰ（デジタルシグナルプロセッサ）などの演算処理装置により構成され、信号分離部２０の機能を実現するためのプログラムをメモリにロードして実行することによりその機能を実現させるものであってもよい。
【００６４】
以上、本発明の実施形態を図面を参照して詳述してきたが、具体的な構成はこの実施形態に限られるものではなく、本発明の要旨を逸脱しない範囲の設計変更等も含まれる。
例えば、空間フィルタの重み係数行列の算出方法は、上記したZero-forcingと呼ばれる方法に限定されない。例えば、最小平均２乗誤差（ＭＭＳＥ；minimum mean square error）方法などのより信号検出特性の優れる方法を用いてもよい。これにより、候補信号点数がより少ない設定数とすることができるので、さらに送信信号ベクトルの候補数を減らすことが可能となる。
【００６５】
また、送信機１００で送信データに対して誤り訂正符号化を行い、受信機１で誤り訂正復号を行うようにしてもよい。
【００６６】
また、本発明は、各種の無線通信方式に適用することができる。例えば、直交周波数分割多重（ＯＦＤＭ）方式や直交周波数分割多重符号分割多重（ＯＦＤＭ−ＣＤＭ）方式における各サブキャリアあるいは各拡散セグメントに適用することができる。これにより、遅延波による周波数選択性が厳しい通信路において受信特性の向上を図ることが可能となる。
【００６７】
また、本発明は、各種の無線通信システムに適用することができる。例えば、移動通信網用の端末や、無線ＬＡＮ用の端末などに適用可能である。
【図面の簡単な説明】
【００６８】
【図１】本発明の一実施形態に係る受信機１を備えた空間分割多重伝送システムの構成を示すブロック図である。
【図２】図１に示す信号分離部２０の構成を示すブロック図である。
【図３】本発明に係る送信信号ベクトルの候補の限定方法を説明するための第１の図である。
【図４】本発明に係る送信信号ベクトルの候補の限定方法を説明するための第２の図である。
【図５】従来の空間分割多重伝送システムの構成を示すブロック図である。
【図６】従来の信号分離部２０２ａの構成を示すブロック図である。
【図７】従来の信号分離部２０２ｂの構成を示すブロック図である。
【図８】従来の受信機２００ａの構成を示すブロック図である。
【符号の説明】
【００６９】
１…受信機、２０…信号分離部、２１…オーダリング部、２２…空間フィルタ、２３…複数候補信号選択部、２４…レプリカ生成部、２５…候補毎干渉除去部、２６…空間合成部、２７…最尤検出部、１０１…直並列変換部、１０２…信号マッピング部、１０３…送信アンテナ、２０１…受信アンテナ、２０３…並直列変換部。
【図１】
2005269383.tif 000019
【図２】
2005269383.tif 000020
【図３】
2005269383.tif 000021
【図４】
2005269383.tif 000022
【図５】
2005269383.tif 000023
【図６】
2005269383.tif 000024
【図７】
2005269383.tif 000025
【図８】
2005269383.tif 000026